(57)【要約】  靱帯が弛緩して広がりずれた左右の仙腸関節の隙間を狭くし正常な位置に矯正できる座椅子を提供することを課題とする。  座面部と背面部とを備える座椅子であって、前記座面部の表面形状が、前記座面部の前端から後方の左右の坐骨結節に対応する位置に向けて略前後方向に向かう溝を備え、前記溝を形成する左右方向の傾斜面がなだらかな傾斜面を形成している座椅子により課題解決できた。
2018173100.tif 000002
【特許請求の範囲】
【請求項１】
座面部と背面部とを備える座椅子であって、
前記座面部の表面形状が、前記座面部の前端から後方の左右の坐骨結節に対応する位置に向けて略前後方向に向かう溝を備え、前記溝を形成する左右方向の傾斜面がなだらかな傾斜面を形成していることを特徴とする座椅子。
【請求項２】
前記左右の坐骨に対応する部位の溝を形成する傾斜面の形態が、股間に対応する部位に設けた、左右の坐骨下面の前内側を広がるように形成された内側の傾斜面と、左右の坐骨の後左右端部に対応する部位に設けた、左右の坐骨の後外方向の移動を規制するように形成した外側の傾斜面とからなる形態であることを特徴とする請求項１に記載の座椅子。
【請求項３】
前記背面部が、左右の上後腸骨棘の高さに対応する部位において、前記上後腸骨棘の外側部分を左右方向外側から内側に向けて押当可能な押当部を備えることを特徴とする請求項１又は２に記載の座椅子。
【発明の詳細な説明】
【技術分野】
【０００１】
本発明は、骨盤を形成する腸骨と仙骨の間にある仙腸関節の歪みの矯正を行う座椅子に関する。
【背景技術】
【０００２】
一般的に、例えば妊婦がお産をするときに仙腸関節の靱帯が弛緩し仙骨と腸骨との間が広がるが、その後に仙骨と腸骨との位置関係が元に戻らず仙腸関節間の隙間が広がって仙腸関節がずれてしまう症状が生じることがある。この仙腸関節のずれによって腰痛などの症状が生じることが知られている。【０００３】
特許文献１には、人体の殿部に対応した凹部と、前記凹部の後方に設けられた隆起部と、前記隆起部から後方に延長する緩やかな下向きの傾斜部とを有し、使用者が前記凹部に殿部を載せて仰臥したときに、その腹部が前記隆起部により持ち上げられかつ背中が前記傾斜部により支持されるようにした矯正装置が開示されている。【０００４】
特許文献２には、左右の側面板が下方に向けて左右間の幅が狭くなるようにし人が座った時に着座者は座面ではなく左右の側板で支えられるような形態を有する骨盤矯正チエア器具が開示されている。
【先行技術文献】
【特許文献】
【０００５】
【特許文献１】特開２００６−１０２２５６号公報
【特許文献２】特開２００５−１０３２１５号公報
【発明の概要】
【発明が解決しようとする課題】
【０００６】
特許文献１に記載の発明は、仰臥状態になって殿部を凹部に左右対称に位置決めして骨盤の仙骨を凸部により身体の前後方向で押す構造であるので、左右方向に広がった仙腸関節の隙間を矯正することができないという問題があった。【０００７】
特許文献２に記載の発明は、座った状態で左右方向から殿部や腰部に身体の下方になるほど高い圧力で押圧をかける構造であるので、身体では坐骨の方が最も高い圧力が両側から加わり、坐骨よりも上部に位置する仙腸関節上部は逆に開かれてしまうことから左右の仙腸関節の隙間を矯正することができないという問題があった。【０００８】
本発明はこうした問題に鑑み創案されたもので、靱帯が弛緩して広がりずれた左右の仙腸関節の隙間を狭くし正常な位置に矯正できる座椅子を提供することを課題とする。
【課題を解決するための手段】
【０００９】
請求項１に記載の座椅子１は、座面部２と背面部３とを備える座椅子１であって、前記座面部２の表面形状が、前記座面部２の前端から後方の左右の坐骨結節１５に対応する位置に向けて略前後方向に向かう溝４、５を備え、前記溝４，５を形成する左右方向の傾斜面３０、３１がなだらかな傾斜面を形成していることを特徴とする。【００１０】
請求項２に記載の座椅子１は、請求項１において、前記左右の坐骨１６、１７に対応する部位の溝４、５を形成する傾斜面３０、３１の形態が、股間に対応する部位に設けた、左右の坐骨１６、１７下面の前内側を広がるように形成された内側の傾斜面３０と、左右の坐骨１６、１７の後左右端部に対応する部位に設けた、左右の坐骨１６、１７の後外方向の移動を規制するように形成した外側の傾斜面３１とからなる形態であることを特徴とする。【００１１】
請求項３に記載の座椅子１は、請求項１又は２において、前記背面部３が、左右の上後腸骨棘１３の高さに対応する部位において、前記上後腸骨棘１３の外側部分を左右方向外側から内側に向けて押当可能な押当部７を備えること特徴とする。
【発明の効果】
【００１２】
請求項１又は２に記載の座椅子１は、下側の左右の坐骨１６，１７下面の前内側部を溝４，５の内側部の傾斜面３０によって広げ、後側左右端外側部の傾斜面３１によって前記坐骨１６，１７の後外方部の外方への移動を制限することにより、左右坐骨１６，１７を上から見てそれぞれ左右回転させることができ、その結果坐骨１６，１７と一体となっている腸骨１８，１９をそれぞれ左右方向に回転させることができる。この機構により、右腸骨１８には右回転、左腸骨１９には左回転が誘導され、左右の上後腸骨棘１３間の距離を接近させて仙腸関節１１の後部を密着させることができる。【００１３】
請求項３に記載の座椅子１は、左右の上後腸骨棘１３を直接に外方向から押すので左右の上後腸骨棘１３間の距離を縮小でき仙骨１２と腸骨１８，１９との間をより効果的に元の隙間に矯正することができる。
【図面の簡単な説明】
【００１４】
【図１】本発明の１形態を示す座椅子の斜視図である。
【図２】本発明の座面部の他の形態を示す座面部の平面視の概要図である。
【図３】本発明の座面部の他の形態を示す座面部の平面視の概要図である。
【図４】図１における座面部の中央部の前後方向断面を示すＡ−Ａ断面図である。
【図５】図１における座面部の左大腿に対応する部位の前後方向断面を示すＢ−Ｂ断面図である。
【図６】図１における座面部の大腿の前後方向中央部の左右方向断面を示すＣ−Ｃ断面図である。
【図７】図１における座面部の坐骨に対応する部位の左右方向断面を示すＤ−Ｄ断面図である。
【図８】図１における背凭れ部の上後腸骨棘に対応する部位の左右方向断面を示すＥ−Ｅ断面図である。
【図９】骨盤の骨格の正面視の説明図である。
【図１０】骨盤の右前斜め方向から見た骨格の説明図である。
【図１１】図９における坐骨結節に該当する部位のＦ−Ｆ断面の説明図である。
【図１２】図３における坐骨当接部に該当する部位のＫ１−Ｋ１断面の説明図である。
【図１３】本発明の１形態を示す座椅子の外観の斜視図である。
【図１４】本発明の他の形態を示す座椅子を上方から見た写真図である。
【図１５】本発明の他の形態を示す座椅子に骨盤模型を載置し骨盤の動きを確認した状態を上方から見た写真図である。
【図１６】本発明の他の形態を示す座椅子に骨盤模型を載置し骨盤の動きを確認した状態を側面側から見た写真図である。
【発明を実施するための形態】
【００１５】
本願発明の座椅子１は、図１、図１３〜図１６に示すように、座面部２と背面部３とを備える座椅子１であって、図１〜図３や図６に示すように、前記座面部２の表面形状が、前記座面部２の前端から後方の左右の坐骨結節１５に対応する位置に向けて略前後方向に向かう溝４を備え、前記溝４を形成する左右方向の傾斜面３０、３１がなだらかな傾斜面を形成している。前記坐骨結節１５に対応する位置は、図２、図３、図５、図７、図１２に示すように股間に対応する部位でもある内側の傾斜面３９の坐骨当接部６０及び外側の傾斜面３１の坐骨当接部６１である。
【００１６】
そして、骨盤１０の下部である左右の坐骨結節１５が嵌め込まれる範囲に該当する溝４、５の形態は、図７や図１２に示すように、前記左右の坐骨１６、１７に対応する部位の溝４、５を形成する傾斜面３０、３１の形態が、左右の坐骨当接面６０となる、股間の外形状に対応する形状を有し、左右の坐骨１６、１７下面の前内側を広がるように形成された内側の傾斜面３０と、左右の坐骨当接面６１となる、左右の坐骨１６、１７の後左右端部に対応する部位に設け殿部の外形状に対応する形状を有し、左右の坐骨１６、１７の後外方向の移動を規制するように形成した外側の傾斜面３１とからなる形態である。
【００１７】
そして、前記座椅子１は、図１や図８に示すように、前記背面部３が、左右の上後腸骨棘１３に対応する部位において、前記上後腸骨棘１３の後側部分及び外側部分を左右方向外側から内側に向けて押当可能な押当部７を備える。
【００１８】
前記溝４、５は、図１〜図７に示すように、左右の内側の傾斜面３０と外側の傾斜面３１によって座面部２の前端から後端近傍まで前後方向に形成されている。前記溝４、５の前後方向で中央近傍から前側には左右の大腿部が嵌まり込み後側には骨盤１０の下部が嵌まり込む。すなわち、前記溝４には右側の大腿部と右側の坐骨１６が嵌まり込み、前記溝５には左側の大腿部と左側の坐骨１７が嵌まり込む。
【００１９】
そして、図９〜図１２に示すように、溝４と溝５の股間が対応する部位の内側の傾斜面３０である左右の坐骨当接部６０により左右の坐骨結節１５間が矢印ａ方向及び矢印ｂ方向に広げられ、左右の坐骨１６、１７の後左右端部に対応する部位に設けた外側の傾斜面３１である左右の坐骨当接部６１により左右の坐骨１６、１７の後外方向の移動が規制される。図１１に示すように、この二方向の相反する外力による、左右坐骨１６、１７を上から見てそれぞれ矢印ｃ方向又は矢印ｄ方向に左右回転させることができ、その結果、図９、図１０に示すように、坐骨１６、１７と一体となっている腸骨１８、１９をそれぞれ矢印Ｒ方向又は矢印Ｌ方向に左右方向に回転させることができ、右腸骨１８には右回転、左腸骨１９には左回転が誘導され、左右の上後腸骨棘１３間の距離を接近させて仙腸関節１１の後部を密着させることができる。
【００２０】
溝４、５の内側の傾斜面３０の高さについては、図１、図４、図５に示すように、前記傾斜面３０に股間を当接できるように、坐骨結節１５に対応する部位である坐骨当接部６０の部位の高さよりも骨盤１０の尾骨に対応する部位の高さを低くしている。また、前記傾斜面３０に股間を当接でき骨盤１０の坐骨結節１５を左右に押し広げられれば骨盤１０の尾骨に対応する部位には内側の傾斜面３０を形成せずに右側の溝４と左側の溝５を連通させてもよい。
【００２１】
前記溝４、５の形態は、幅、深さ、向き、内側の傾斜面３０の高さと傾斜角度、外側の傾斜面３１の高さと傾斜角度、又は、溝４と溝５との間隔で形成される。前記溝４、５の幅、深さ、向き、内側の傾斜面３０の高さと傾斜角度、外側の傾斜面３１の高さと傾斜角度、又は、溝４と溝５との間隔の設定については、図１２に示すように、溝４、５の後側で内側の傾斜面３０の坐骨当接部６０に坐骨結節１５の内側を押し当てて左右の坐骨結節１５間の間隔を押し広げるものであって、外側の傾斜面３１の坐骨当接部６１によって坐骨結節１５が後外方向へ移動するのを規制するように設定する。
【００２２】
したがって、例えば、溝４、５の深さについては、座面部２の前端から後端近傍まで同じ深さの形態や、図４及び図５に示すように後端近傍に凹部６を形成する形態が考えられる。前記凹部６を形成した方が、内側の傾斜面３０を股間の形状に合わせやすく、坐骨１６、１７が内側の傾斜面３０と外側の傾斜面３１との間にしっかりと嵌まり込みやすく内側の傾斜面３０と外側の傾斜面３１とで坐骨１６、１７に対して外方向への広がりと同時に後外方向への移動の規制をしやすい。
【００２３】
しかしながら、溝４、５の後側で内側の傾斜面３０の坐骨当接部６０に坐骨結節１５の内側を押し当てて左右の坐骨結節１５間の間隔を押し広げるものであって、一方外側の傾斜面３１の坐骨当接部６１によって坐骨結節１５が後外方向へ移動するのを規制できるものであればよく、溝４、５の深さについては凹部６が形成されなくてもよく特に限定するものではない。
【００２４】
また、溝４、５の向きについては、図２に示すように座面部２の前側から後側に向けて徐々に中央寄りに変化する、平面視で日本のカタカナ文字で略「ハ」字状の形態、図３に示すように溝４、５が前側から後側に向けてほぼ平行に形成され股間に対応する部位にくると中央寄りに曲がる平面視で日本の平仮名文字で略「し」字状と「し」を裏返した文字状を２つ形成させた形態、又は、殿部の尾骨に対応する部位において溝４と溝５を連通させた英字でＵ字状の形態等がある。前記形態においては、いずれも股間に対応する部位に対して尾骨に対応する部位は内側の傾斜面３０の高さを低くしており尾骨が傾斜面３０の尾根部分に乗り上げ内側の傾斜面３０まで坐骨結節１５が下がらずに当接しないことになることを避けている。
【００２５】
図１〜図３に示すように、前記内側の傾斜面３０の坐骨当接部６０及び外側の傾斜面３１の坐骨当接部６１の近傍の平面視の形態が、円弧状に形成されていることにより内側の傾斜面３０の坐骨当接部６０に坐骨結節１５の内側を押し当てて左右の坐骨結節１５間の間隔を押し広げやすい。また、図１や図２に示すように、座面部２の前端から後方に向けて徐々に溝４と溝５との間隔を狭くしている場合は、左右の大腿部間を広げる姿勢となることから骨盤１０には大腿部の根元である大腿部接合部２０が広がることになり、これにより腸骨１８、１９及ぶ坐骨１６、１７が広がるので股間に位置する左右の坐骨結節１５間の間隔も広がる。
【００２６】
しかしながら、溝４、５の後側で内側の傾斜面３０の坐骨当接部６０に坐骨結節１５の内側を押し当てて左右の坐骨結節１５間の間隔を押し広げるものであって、一方外側の傾斜面３１によって坐骨結節１５が後外方向へ広がるのを防ぐことができるものであればよく、溝４、５の向きが後部において溝４、５の間隔が徐々に狭くならなくてもよく、溝４、５の向きについては特に限定するものではない。
【００２７】
また、前記溝４、５の幅については、特に殿部を載せる部位となる前記座面部２の後部における溝４、５の幅は、坐骨１６、１７をしっかりと嵌め込めるものであることが必要であり、坐骨１６、１７の幅より狭くても広くてもいけない。
【００２８】
溝４、５の他の構成要素については、前記溝４、５の後側で内側の傾斜面３０の坐骨当接部６０に坐骨結節１５の内側を押し当てて左右の坐骨結節１５間の間隔を押し広げるものであって、一方外側の傾斜面３１の坐骨当接面６１によって坐骨結節１５が後外方向へ移動するのを規制できるものであればよく、その形態は限定されない。
【００２９】
座面部２の構成事例とその作用について説明する。図６や図７に示すように、前記溝４、５は、座面部２の前側の部位の溝４、５の左右方向の幅５０が後側の坐骨結節１５に対応する部位の溝４、５の左右方向の幅５１より広くしている。これにより、左右の大腿部が広がり股間が広がるので、左右の坐骨１６、１７をそれぞれ外側に向けて移動させる。一方、溝４、５の後外側の傾斜面３１が坐骨結節１５下面の後外側部が外側に移動することを防ぐ。この二つのことが同時に起こると、右坐骨１６は右回転、左坐骨１７は左回転が誘導され、坐骨１６、１７の上に連なる腸骨１８、１９も同様に右回転、左回転が誘導される。このような腸骨１８、１９の回転は、仙腸関節１１面の後部を接近させる作用となり、これにより左右の上後腸骨棘１３が左右の上後腸骨棘１３同士の間隔を縮小させるように動き、その結果として仙骨１２との隙間が狭くなり、弛緩した靱帯により広がった仙腸関節１１の隙間を狭くして正常に戻すことができる。
【００３０】
前記座椅子１に骨盤１０の模型を載置した状態を図１５及び図１６に示しているように、骨盤１０の最下部を構成する坐骨結節１５が溝４、５に嵌まり込まれている状態を示している。これにより、本願発明の効果を確認した結果、前記した右坐骨１６及び左坐骨１７の動きが腸骨１８、１９を動かし左右の上後腸骨棘１３が左右の上後腸骨棘１３同士の間隔を縮小させるように動き、その結果として仙骨１２との隙間が狭くなり、弛緩した靱帯により広がった仙腸関節１１の隙間を狭くして正常に戻すことができることがわかった。
【００３１】
前記座面部２の溝４、５、内側の傾斜面３０の坐骨当接部６０、外側の傾斜面３１の坐骨当接部６１によって、左右の上後腸骨棘１３が接近して腸骨１８、１９と仙骨１２との隙間を狭くし、靱帯が弛緩して広がりずれた仙腸関節１１の隙間を狭くして正常に位置を矯正することができる。
【００３２】
次に、背面部３においては、図１や図８に示すように、背面部３の上後腸骨棘１３の高さに対応する部位において、前記上後腸骨棘１３の外側部分を左右方向外側から内側に向けて押当可能な押当部７を備えている。
【００３３】
前記押当部７により、上後腸骨棘１３の外側部分を左右方向外側から内側に向けて押当てることから、左右の上後腸骨棘１３と仙骨１２との隙間を狭くし、靱帯が弛緩して広がりずれた仙腸関節１１の隙間を狭くして正常な位置に矯正することができる。
【００３４】
次に使用方法を説明する。薄い服装で本願発明の座椅子１に内側の傾斜面３０の左右の坐骨当接部６０に股間の左右の坐骨結節１５を合わせるようにし、かつ左右の上後腸骨棘１３を背面部３の押圧部７に押し当てるようにして座る。これにより、左右の上後腸骨棘１３と仙骨１２との隙間を狭くし、靱帯が弛緩して広がりずれた仙腸関節１１の隙間を狭くして正常な位置に矯正することができる。
【符号の説明】
【００３５】
１          座椅子
２          座面部
３          背面部
４          溝
５          溝
６          凹部
７          押圧部
１０        骨盤
１１        仙腸関節
１２        仙骨
１３        上後腸骨棘
１５        坐骨結節
１６        坐骨
１７        坐骨
１８        腸骨
１９        腸骨
２０        大腿骨接合部
３０        傾斜面
３１        傾斜面
５０        幅
５１        幅
６０        坐骨当接部
６１        坐骨当接部
【図１】
2018173100.tif 000003
【図２】
2018173100.tif 000004
【図３】
2018173100.tif 000005
【図４】
2018173100.tif 000006
【図５】
2018173100.tif 000007
【図６】
2018173100.tif 000008
【図７】
2018173100.tif 000009
【図８】
2018173100.tif 000010
【図９】
2018173100.tif 000011
【図１０】
2018173100.tif 000012
【図１１】
2018173100.tif 000013
【図１２】
2018173100.tif 000014
【図１３】
2018173100.tif 000015
【図１４】
2018173100.tif 000016
【図１５】
2018173100.tif 000017
【図１６】
2018173100.tif 000018
【国際調査報告】
2018173100.tif 000019
2018173100.tif 000020
2018173100.tif 000021
2018173100.tif 000022